【手続補正書】
【提出日】平成31年2月6日(2019.2.6)
【手続補正１】
【補正対象書類名】特許請求の範囲
【補正対象項目名】全文
【補正方法】変更
【補正の内容】
【特許請求の範囲】
【請求項１】
基板であって、
複数のファセットセグメントに隣接する曲線セグメントを含む少なくとも２つの異なる形状を有する複数のセグメントを有する周囲であって、前記複数のファセットセグメントの各隣接ペアが鈍角で隣接する、周囲と、
前記基板の表面上にピクセルを含む表示領域と、
前記表示領域を取り巻く境界領域と、
前記ピクセルに結合され、第１の接続パッドのグループに分割された、前記境界領域内の複数の第１の接続パッドであって、第１の接続パッドの前記グループの各々が、前記複数のファセットセグメントのうちの対応する１つのファセットセグメントに隣接する、複数の第１の接続パッドとを含む、基板と、
前記複数のファセットセグメントに対応する複数のアームを有するフレキシブル回路板であって、前記複数のアームの各々が、第１の接続パッドの前記グループのうちの対応する１つのグループに結合される、フレキシブル回路板とを備える、デバイス。
【請求項２】
前記曲線セグメントが半円形である、請求項１に記載のデバイス。
【請求項３】
前記表示領域が円形である、請求項１に記載のデバイス。
【請求項４】
前記境界領域が環状である、請求項１に記載のデバイス。
【請求項５】
前記境界領域が幅を有し、所与の直径の基板および所与の量の第１の接続パッドに対して、前記境界領域の前記幅が、第１の接続パッドの前記グループの各々の中の第１の接続パッドの数を低減するためにファセットセグメントを前記複数のファセットセグメントに追加することによって低減される、請求項１に記載のデバイス。
【請求項６】
前記フレキシブル回路板に動作可能に結合されたディスプレイドライバをさらに備え、前記複数のファセットセグメントに隣接する第１の接続パッドの前記グループが、前記フレキシブル回路板の前記複数のアームを介して前記ディスプレイドライバに結合される、請求項１に記載のデバイス。
【請求項７】
前記フレキシブル回路板が１つのディスプレイドライバのみを含む、請求項６に記載のデバイス。
【請求項８】
各アームを前記基板の前記周囲回りに巻き付けることと、各アームの複数の第２の接続パッドが前記基板の対応する第１の接続パッドに結合される前に前記フレキシブル回路板を前記基板の裏面に隣接して位置決めすることとを容易にするために、前記複数のアームの各アームが、対応するファセットセグメントの縁部に平行な１つの折り畳み部のみを含む、請求項１に記載のデバイス。
【請求項９】
前記アームを前記基板の前記周囲回りに巻き付けることと、前記複数のアームの各アームの複数の第２の接続パッドが前記基板上の対応する第１の接続パッドに結合された後に前記フレキシブル回路板を前記基板の裏面に隣接して位置決めすることとを容易にするために、前記複数のアームのうちの１つのアームが、対応するファセットセグメントの縁部に平行な１つの折り畳み部と複数の非平行な折り畳み部とを含む、請求項１に記載のデバイス。
【請求項１０】
前記デバイスが、ウェアラブルデバイスおよび腕時計様のウェアラブルデバイスのうちの少なくとも１つを含むグループから選択された電子デバイス内に組み込まれる、請求項１に記載のデバイス。
【請求項１１】
基板であって、
複数のファセットセグメントに隣接する曲線セグメントを含む少なくとも２つの異なる形状を有する複数のセグメントを有する周囲であって、前記複数のファセットセグメントの各隣接ペアが鈍角で隣接する、周囲と、
前記基板の表面上にピクセルを含む表示領域と、
前記表示領域を取り巻く境界領域と、
前記ピクセルに結合され、第１の接続パッドのグループに分割された、前記境界領域内の複数の第１の接続パッドであって、第１の接続パッドの前記グループの各々が、前記複数のファセットセグメントのうちの対応する１つのファセットセグメントに隣接する、複数の第１の接続パッドとを含む、基板と、
前記複数の第１の接続パッドに結合するための１つの回路板からなる手段とを含む、デバイス。
【請求項１２】
前記表示領域が円形である、請求項１１に記載のデバイス。
【請求項１３】
前記境界領域が環状である、請求項１１に記載のデバイス。
【請求項１４】
前記複数の第１の接続パッドに結合するための１つの回路板からなる前記手段が、前記複数のファセットセグメントに対応する複数のアームを有するフレキシブル回路板を備え、前記複数のアームの各々が、第１の接続パッドの前記グループのうちの対応する１つのグループに結合される、請求項１１に記載のデバイス。
【請求項１５】
各アームを前記基板の前記周囲回りに巻き付けることと、各アームの複数の第２の接続パッドが前記基板の対応する第１の接続パッドに結合される前に前記フレキシブル回路板を前記基板の裏面に隣接して位置決めすることとを容易にするために、前記複数のアームの各アームが、対応するファセットセグメントの縁部に平行な１つの折り畳み部のみを含む、請求項１４に記載のデバイス。
【請求項１６】
前記アームを前記基板の前記周囲回りに巻き付けることと、前記複数のアームの各アームの複数の第２の接続パッドが前記基板上の対応する第１の接続パッドに結合された後に前記フレキシブル回路板を前記基板の裏面に隣接して位置決めすることとを容易にするために、前記複数のアームのうちの１つのアームが、対応するファセットセグメントの縁部に平行な１つの折り畳み部と複数の非平行な折り畳み部とを含む、請求項１４に記載のデバイス。
【請求項１７】
基板であって、
第１の表面、対向する第２の表面および前記基板の周囲における縁部であって、前記周囲がＮ個のファセットセグメントに隣接する曲線セグメントを含む少なくとも２つの異なる形状を有する複数のセグメントを含み、前記Ｎ個のファセットセグメントの隣接ペアが鈍角で隣接し、Ｎが２以上である、第１の表面、対向する第２の表面および前記基板の周囲における縁部と、
前記基板の表示領域内の複数のピクセルと、
前記表示領域の周辺の境界領域内の、前記複数のピクセルに結合された、接続パッドのＮ個のグループであって、接続パッドの前記Ｎ個のグループの各々が前記Ｎ個のファセットセグメントのうちの対応する１つのファセットセグメントに隣接する、接続パッドのＮ個のグループとを含む、基板と、
Ｎ個のアームで構成されたフレキシブル回路板であって、前記Ｎ個のアームの各々が、接続パッドの前記Ｎ個のグループのうちの対応する１つのグループに結合される、フレキシブル回路板とを備えるデバイス。
【請求項１８】
前記曲線セグメントが半円形である、請求項１７に記載のデバイス。
【請求項１９】
前記表示領域が円形である、請求項１７に記載のデバイス。
【請求項２０】
前記境界領域が環状である、請求項１７に記載のデバイス。
【請求項２１】
前記境界領域が幅を有し、第１の直径の基板に対して、前記境界領域の前記幅が、Ｎの値を増加することによって低減される、請求項１７に記載のデバイス。
【請求項２２】
ディスプレイドライバをさらに備え、接続パッドの前記Ｎ個のグループの各々が、前記フレキシブル回路板の前記Ｎ個のアームを介して前記ディスプレイドライバに結合される、請求項１７に記載のデバイス。
【請求項２３】
前記Ｎ個のアームを前記基板の前記縁部回りに巻き付けることと、前記Ｎ個のアームが接続パッドの前記Ｎ個のグループに結合される前に前記フレキシブル回路板を前記基板の裏面に隣接して位置決めすることとを容易にするために、前記Ｎ個のアームの各々が、対応するファセットセグメントに平行な１つの折り畳み部のみを含む、請求項１７に記載のデバイス。
【請求項２４】
前記Ｎ個のアームを前記基板の前記縁部回りに巻き付けることと、前記Ｎ個のアームが接続パッドの前記Ｎ個のグループに結合された後に前記フレキシブル回路板を前記基板の裏面に隣接して位置決めすることとを容易にするために、前記Ｎ個のアームの各々が、対応するファセットセグメントに平行な１つの折り畳み部と複数の非平行な折り畳み部とを含む、請求項１７に記載のデバイス。
【請求項２５】
ファセットセグメントに隣接する曲線セグメントを含む外周を有する基板と、
表示領域内の、前記基板の第１の面上の複数のピクセルと、
前記表示領域の周辺にあり前記外周に隣接する環状境界領域内の、前記基板の前記第１の面上の複数の第１の接続パッドであって、前記複数のピクセルが前記複数の第１の接続パッドに結合され、前記複数の第１の接続パッドは、前記ファセットセグメントおよび前記曲線セグメントの一部を含む前記環状境界領域のセグメント内に配置されており、前記環状境界領域の前記セグメントの弧長は前記外周の周長未満である、複数の第１の接続パッドと、
フレキシブル回路板であって、
前記複数の第１の接続パッドのうちの対応する接続パッドに結合されるように構成された複数の第２の接続パッドを含む第１の部分であって、前記ファセットセグメントおよび前記曲線セグメントの前記一部を含む前記環状境界領域の前記セグメントに対応する形状を有する、第１の部分と、
前記ファセットセグメントに隣接する前記基板の縁部回りに巻き付くように、および第２の接続パッドから延びる複数の伝送線路を収容するように構成された第２の部分であって、前記複数の伝送線路が、前記第１の部分の上および／または中で前記第２の部分まで経路指定され、前記第２の部分の上および／または中の領域を占有し、前記外周において測定された前記第１の部分の弧長が前記外周において測定された前記第２の部分の弧長より大きい、第２の部分とを含む、フレキシブル回路板とを備え、
前記第１の部分の前記複数の第２の接続パッドの中心間ピッチが、前記第２の部分の上および／または中の前記領域を占有する前記複数の伝送線路の中心間ピッチより大きい、デバイス。
【請求項２６】
前記外周が円形である、請求項２５に記載のデバイス。
【請求項２７】
前記表示領域が円形である、請求項２５に記載のデバイス。
【請求項２８】
前記表示領域の縁部の近傍にある前記第１の部分の縁部が、前記表示領域の前記縁部まで延びる、請求項２５に記載のデバイス。
【請求項２９】
前記表示領域の縁部の近傍にある前記第１の部分の縁部が、前記基板のフリット境界内に延びる、請求項２５に記載のデバイス。